(57)【要約】【課題】導入コストや設置スペースが増大する事態を抑えつつ複数種類の氷を供給すること。【解決手段】払出要求が与えられた場合に貯氷庫２０に貯留した氷の供給を行うアイスディスペンサにおいて、払出要求に応じた種類の氷を供給する氷供給部は、貯氷庫２０から払い出されたチップ氷を無加工状態で供給する第１供給通路２３Ａと、削氷機３０の駆動により貯氷庫２０から払い出されたチップ氷を削った状態で供給する第２供給通路２３Ｂとを備え、払出スイッチ２６Ａ，２６Ｂからの操作信号に従ってチップ氷を払い出す供給通路２３Ａ，２３Ｂを選択するようにしている。【選択図】        図５
2006214676.tif 000002
【特許請求の範囲】
【請求項１】
払出要求が与えられた場合に貯氷部に貯留した氷の供給を行うアイスディスペンサにおいて、
払出要求に応じた種類の氷を供給する氷供給部を備えたことを特徴とするアイスディスペンサ。
【請求項２】
前記氷供給部は、
貯氷部から払い出された氷の種類を変更するための加工を施す氷加工手段と、
氷の種類を判別可能な払出要求を与えるための払出要求付与手段と
を備え、前記払出要求付与手段からの払出要求に従って氷加工手段に対する氷の払い出しを選択することを特徴とする請求項１に記載のアイスディスペンサ。
【請求項３】
前記氷供給部は、
貯氷部から払い出された氷を無加工状態で供給する第１供給通路と、
氷加工手段の駆動により貯氷部から払い出された氷を加工した状態で供給する第２供給通路と
を備え、払出要求付与手段からの払出要求に従って氷を払い出す供給通路を選択することを特徴とする請求項２に記載のアイスディスペンサ。
【請求項４】
貯氷部において第１供給通路へ至る部分及び第２供給通路へ至る部分にそれぞれ個別の払出口を設けるとともに、それぞれの払出口に扉部材を開閉可能に配設し、扉部材を開移動させた場合に払出口を通じてそれぞれの供給通路に氷を払い出すことを特徴とする請求項３に記載のアイスディスペンサ。
【請求項５】
前記貯氷部は、製氷部で製造したチップ状の氷を貯留するものであり、かつ前記氷加工手段は、チップ状の氷を削る削氷機であることを特徴とする請求項２に記載のアイスディスペンサ。
【発明の詳細な説明】
【技術分野】
【０００１】
本発明は、払出要求が与えられた場合に貯氷部に貯留した氷の供給を行うアイスディスペンサに関するものである。
【背景技術】
【０００２】
この種のアイスディスペンサとしては、氷を製造する製氷部と、製氷部で製造した氷を貯留する貯氷部とを備えて構成されたものが一般的である。貯氷部には、貯留された氷を払い出すための払出口が設けられているとともに、この払出口を開閉するための扉部材が設けられている。このアイスディスペンサでは、払出ボタンを押下する等して利用者から払出要求が与えられると、扉部材が開成され、貯氷部に貯留された氷、例えばチップ状の氷が払出口を通じて利用者に供給されることになる（例えば、特許文献１参照）。
【０００３】
【特許文献１】特開平９−１４５２１２号公報
【発明の開示】
【発明が解決しようとする課題】
【０００４】
ところで、上記のように貯氷部の払出口を開成することによって内部の氷を供給するようにしたアイスディスペンサにあっては、供給される氷の種類が貯氷部に貯留されたものに限られる。従って、複数種類の氷を供給するためには、供給すべき氷の種類に応じた数のアイスディスペンサを用意する必要があり、導入コストが大幅に増大する、長大な設置スペースを必要とする、等々の問題がある。
【０００５】
本発明の目的は、上記実情に鑑みて、導入コストや設置スペースが増大する事態を抑えつつ複数種類の氷を供給することのできるアイスディスペンサを提供することにある。
【課題を解決するための手段】
【０００６】
上記の目的を達成するため、本発明の請求項１に係るアイスディスペンサは、払出要求が与えられた場合に貯氷部に貯留した氷の供給を行うアイスディスペンサにおいて、払出要求に応じた種類の氷を供給する氷供給部を備えたことを特徴とする。
【０００７】
また本発明の請求項２に係るアイスディスペンサは、上述した請求項１において、前記氷供給部は、貯氷部から払い出された氷の種類を変更するための加工を施す氷加工手段と、氷の種類を判別可能な払出要求を与えるための払出要求付与手段とを備え、前記払出要求付与手段からの払出要求に従って氷加工手段に対する氷の払い出しを選択することを特徴とする。
【０００８】
また本発明の請求項３に係るアイスディスペンサは、上述した請求項２において、前記氷供給部は、貯氷部から払い出された氷を無加工状態で供給する第１供給通路と、氷加工手段の駆動により貯氷部から払い出された氷を加工した状態で供給する第２供給通路とを備え、払出要求付与手段からの払出要求に従って氷を払い出す供給通路を選択することを特徴とする。
【０００９】
また本発明の請求項４に係るアイスディスペンサは、上述した請求項３において、貯氷部において第１供給通路へ至る部分及び第２供給通路へ至る部分にそれぞれ個別の払出口を設けるとともに、それぞれの払出口に扉部材を開閉可能に配設し、扉部材を開移動させた場合に払出口を通じてそれぞれの供給通路に氷を払い出すことを特徴とする。
【００１０】
また本発明の請求項５に係るアイスディスペンサは、上述した請求項２において、前記貯氷部は、製氷部で製造したチップ状の氷を貯留するものであり、かつ前記氷加工手段は、チップ状の氷を削る削氷機であることを特徴とする。
【発明の効果】
【００１１】
本発明によれば、氷供給部から払出要求に応じた種類の氷を供給することができるため、供給すべき氷の種類に応じた数のアイスディスペンサを用意する必要がなく、導入コストや設置スペースの点で有利となる。
【発明を実施するための最良の形態】
【００１２】
以下に添付図面を参照して、本発明に係るアイスディスペンサの好適な実施の形態について詳細に説明する。
【００１３】
図１〜５は、本発明の実施の形態であるアイスディスペンサを示したものである。ここで例示するアイスディスペンサは、利用者からの要求に応じて互いに異なる種類の氷、例えばチップ状の氷（以下、適宜「チップ氷」という）と、かき氷のような粉状の氷（以下、適宜「スライス氷」という）とを供給するもので、本体筐体１の内部に製氷機（製氷部）１０を唯一備えている。
【００１４】
製氷機１０は、図示せぬ給水系から供給された製氷用水を冷却することによって氷を製造するものである。本実施の形態では、連続して製氷を行うことのできるオーガ式の製氷機１０を適用している。オーガ式の製氷機１０は、図には明示していないが、冷却した製氷筒１１に製氷用水を供給することによってその内表面に氷膜を形成するとともに、製氷筒１１の内部で螺旋状の回転刃（図示せず）を回転させることによって氷膜を削り取りながら上方の押出ヘッド１２に押し込み、この押出ヘッド１２の上端から圧縮して柱状となった氷を順次押し出すものである。
【００１５】
押出ヘッド１２から押し出された柱状の氷は、その上方域で回転するカッタ１３によってせん断され、チップ氷となって貯氷庫（貯氷部）２０に貯留されることになる。貯氷庫２０は、製氷機１０の上端部に連続する態様で中空の円柱状に構成したもので、その内部にアジテータ２１を備えている。アジテータ２１は、貯氷庫２０に貯留されたチップ氷を適宜撹拌することにより、チップ氷が一つの塊となる事態を防止するものである。
【００１６】
また、上記貯氷庫２０には、その周壁に２つの払出口２２Ａ，２２Ｂが設けてあるとともに、それぞれの払出口２２Ａ，２２Ｂに対応して個別の供給通路２３Ａ，２３Ｂが設けてある。
【００１７】
払出口２２Ａ，２２Ｂは、それぞれが貯氷庫２０に貯留したチップ氷を払い出すことのできる大きさを有した開口であり、貯氷庫２０の前面側となる周壁に互いに隣接して配設してある。個々の払出口２２Ａ，２２Ｂには、扉部材２４Ａ，２４Ｂが開閉可能に配設してある。扉部材２４Ａ，２４Ｂは、通常状態において払出口２２Ａ，２２Ｂを閉塞する一方、個別に設けた供給アクチュエータ２５Ａ，２５Ｂが作動した場合に開移動して払出口２２Ａ，２２Ｂを個別に開放するものである。
【００１８】
供給通路２３Ａ，２３Ｂは、払出口２２Ａ，２２Ｂを介して貯氷庫２０から払い出された氷を案内するためのもので、それぞれ払出口２２Ａ，２２Ｂの下方域から下方に延在した後、本体筐体１の前面側に向けて漸次下方に傾斜する態様で構成してある。個々の供給通路２３Ａ，２３Ｂの下流端は、本体筐体１の前面パネル２に設けた切欠２Ａ，２Ｂを通じて外部から視認することが可能である。尚、以下において２つの払出口２２Ａ，２２Ｂ、２つの供給通路２３Ａ，２３Ｂ及び２つの供給アクチュエータ２５Ａ，２５Ｂを区別する場合には便宜上、正面向かって左側に位置するものをそれぞれ第１払出口２２Ａ、第１供給通路２３Ａ及び第１供給アクチュエータ２５Ａと称する一方、正面向かって右側に位置するものをそれぞれ第２払出口２２Ｂ、第２供給通路２３Ｂ及び第２供給アクチュエータ２５Ｂと称する。
【００１９】
各供給通路２３Ａ，２３Ｂにおいて個々の下流端部に近接する部位には、個別の払出スイッチ（払出要求付与手段）２６Ａ，２６Ｂが取り付けてある。それぞれの払出スイッチ２６Ａ，２６Ｂは、スイッチ本体２６Ａａ，２６Ｂａと、スイッチ本体２６Ａａ，２６Ｂａに対して揺動可能に配設した操作レバー２６Ａｂ，２６Ｂｂとを備えるもので、操作レバー２６Ａｂ，２６Ｂｂが供給通路２３Ａ，２３Ｂの下流端部から前方に向けて下方に傾斜し、かつ本体筐体１の前面パネル２から突出する態様で配設してある。各払出スイッチ２６Ａ，２６Ｂにおいて操作レバー２６Ａｂ，２６Ｂｂを下方に向けて揺動させた場合には、対応するスイッチ本体２６Ａａ，２６Ｂａからそれぞれを識別することのできる操作信号が、払出要求として出力されることになる。尚、以下においては、第１供給通路２３Ａに対応して設けた払出スイッチをチップ氷払出スイッチ２６Ａと称する一方、第２供給通路２３Ｂに対応して設けた払出スイッチをスライス氷払出スイッチ２６Ｂと称する。
【００２０】
上述した第２供給通路２３Ｂには、その中間部に削氷機３０が設けてある。削氷機３０は、チップ氷が投入された場合にこれに削り加工を施し、スライス氷として順次下流に排出するものである。図には明示していないが、本実施の形態では、上面に氷投入口３１ａを有し、かつ周面に氷排出口３１ｂを有した略すり鉢状の削氷容器３１と、この削氷容器３１の内部においてチップ状の氷に削り加工を施す削り刃（図示せず）と、削り刃を回転するための削氷アクチュエータ３２とを備えた削氷機３０を適用しており、第２払出口２２Ｂから払い出されたチップ状の氷が氷投入口３１ａから削氷容器３１ｂに投入される一方、削氷容器３１の内部で削られたスライス氷が氷排出口３１ｂから排出されるように第２供給通路２３Ｂが構成してある。
【００２１】
図６は、図１に示したアイスディスペンサにおいて氷の供給制御系を示すブロック図である。図６に示した払出制御部４０は、チップ氷払出スイッチ２６Ａ及びスライス氷払出スイッチ２６Ｂを監視し、これらの払出スイッチ２６Ａ，２６Ｂから操作信号が与えられた場合に第１供給アクチュエータ２５Ａ、第２供給アクチュエータ２５Ｂ及び削氷アクチュエータ３２の駆動を制御することにより、利用者からの払出要求に応じた種類の氷を供給するためのものである。以下、この払出制御部４０の動作について説明する。
【００２２】
上記のように構成したアイスディスペンサでは、例えば図２中の二点鎖線で示すように、利用者がカップＣの開口を供給通路２３Ａ，２３Ｂの下流端に対向させた状態で所望とする氷の種類に対応した払出スイッチ２６Ａ，２６Ｂの操作レバー２６Ａｂ，２６Ｂｂを下方に揺動させると、その操作信号が払出制御部４０に与えられることになる。
【００２３】
ここで、上述した操作信号がチップ氷払出スイッチ２６Ａから出力されたものである場合、つまり利用者の所望とする氷の種類がチップ氷の場合、上記払出制御部４０は、第１供給アクチュエータ２５Ａを駆動することによって第１払出口２２Ａを開放させる処理を実行する。この結果、貯氷庫２０に貯留されたチップ氷が第１払出口２２Ａから払い出された後、第１供給通路２３Ａを通じて順次案内され、その下流端から利用者のカップＣにチップ氷のまま供給されるようになる。
【００２４】
一方、上述した操作信号がスライス氷払出スイッチ２６Ｂから出力されたものである場合、つまり利用者の所望とする氷の種類がスライス氷である場合、上記払出制御部４０は、第２供給アクチュエータ２５Ｂを駆動することによって第２払出口２２Ｂを開放させるとともに、削氷アクチュエータ３２を駆動する処理を実行する。この結果、貯氷庫２０に貯留されたチップ氷が第２払出口２２Ｂから払い出された後、第２供給通路２３Ｂ及び氷投入口３１ａを通じて削氷機３０の削氷容器３１に投入される。削氷容器３１に投入されたチップ氷は、スライス氷となった状態で氷排出口３１ｂから排出され、最終的に第２供給通路２３Ｂの下流端から利用者のカップＣに供給されるようになる。
【００２５】
このように、上記アイスディスペンサによれば、利用者の払出要求に応じてチップ氷とスライス氷との供給が可能となるため、その利用範囲を大幅に拡大することができる。例えば、本実施形態のアイスディスペンサを用意すれば、コールド飲料とともに第１供給通路２３Ａからチップ氷を供給することで氷入り飲料の提供が可能になるばかりでなく、スリップ入り容器に対して第２供給通路２３Ｂからスライス氷を供給することでかき氷を提供することも可能となる。しかも、本体筐体１の内部には貯氷庫２０を唯一備えれば良いため、導入コストが増大する事態や設置スペースが長大となる事態を招来する虞れもない。
【００２６】
尚、上述した実施の形態では、チップ氷とスライス氷とを供給するものを例示しているが、その他の種類の氷を供給するようにしても良い。この場合、供給する氷の種類は２つに限らず、３つ以上であっても構わない。また、製氷機１０としてオーガ式のものを適用しているが、その他の製氷機を適用しても良い。
【００２７】
さらに、上述した実施の形態では、複数の供給通路２３Ａ，２３Ｂに対してそれぞれ個別の払出口２２Ａ，２２Ｂを設けるようにしているが、必ずしもこれに限らない。例えば複数の供給通路に対して払出口を唯一設けるとともに、払出口と複数の供給通路との間に分岐手段を配設し、払出要求に応じて分岐手段を適宜作動させることにより、払出口から払い出された氷を案内する供給通路を選択するようにしても良い。
【図面の簡単な説明】
【００２８】
【図１】本発明の実施の形態であるアイスディスペンサの外観を示す正面図である。
【図２】図１に示したアイスディスペンサの側面図である。
【図３】図１における III−III 線断面図である。
【図４】図２における IV−IV 線断面図である。
【図５】図３における V−V 線展開断面図である。
【図６】図１に示したアイスディスペンサにおいて氷の供給制御系を示すブロック図である。
【符号の説明】
【００２９】
１      本体筐体
２      前面パネル
１０      製氷機
２０      貯氷庫
２２Ａ，２２Ｂ      払出口
２３Ａ，２３Ｂ      供給通路
２４Ａ，２４Ｂ      扉部材
２５Ａ，２５Ｂ      供給アクチュエータ
２６Ａ，２６Ｂ      払出スイッチ
３０      削氷機
３２      削氷アクチュエータ
【図１】
2006214676.tif 000003
【図２】
2006214676.tif 000004
【図３】
2006214676.tif 000005
【図４】
2006214676.tif 000006
【図５】
2006214676.tif 000007
【図６】
2006214676.tif 000008